(57)【特許請求の範囲】
【請求項１】
インクを吐出する吐出口を有する記録ヘッドと、前記記録ヘッドを搭載して往復移動するキャリッジと、前記記録ヘッドへ供給されるインクを貯留するサブタンクと、前記サブタンクへ供給されるインクを貯留するメインタンクと、前記メインタンクと前記サブタンクとを接続する中空管と、前記サブタンクと前記記録ヘッドとを接続し前記キャリッジの移動に追従して移動する供給チューブと、を備えるインクジェット記録装置であって、
前記サブタンクから前記メインタンクへ空気を移動させるために前記供給チューブ内のインクの動圧が前記中空管内の空気移動に対する耐圧よりも大きくなるように前記キャリッジの移動における加減速を制御し、かつ、前記メインタンクから前記サブタンクへインクを移動させるために前記供給チューブ内のインクの動圧が前記中空管内のインク移動に対する耐圧よりも大きくなるように前記キャリッジの移動における加減速を制御する制御手段を備えることを特徴とするインクジェット記録装置。
【請求項２】
前記中空管は、重力方向に関して、前記メインタンクの下部と前記サブタンクの上部とを接続していることを特徴とする請求項１に記載のインクジェット記録装置。
【請求項３】
前記キャリッジを支持するレールをさらに備え、
前記供給チューブの一部は、前記レールとほぼ並行に設けられていることを特徴とする請求項１または２に記載のインクジェット記録装置。
【請求項４】
前記制御手段は、記録動作を行う際に、前記キャリッジの移動における加減速を制御することを特徴とする請求項１ないし３のいずれか１項に記載のインクジェット記録装置。
【請求項５】
前記制御手段は、前記供給チューブ内のインクの動圧が前記吐出口におけるメニスカス耐圧よりも小さくなるように前記キャリッジの移動における加減速を制御することを特徴とする請求項１ないし４のいずれか１項に記載のインクジェット記録装置。
【請求項６】
前記サブタンクは、前記供給チューブと前記中空管とを除いてほぼ密閉された構造となっていることを特徴とする請求項１ないし５のいずれか１項に記載のインクジェット記録装置。
【請求項７】
前記供給チューブに設けられ、容積変化することによって前記メインタンクから前記サブタンクへインクを供給するダイヤフラム弁をさらに備えることを特徴とする請求項１ないし６のいずれか１項に記載のインクジェット記録装置。
【請求項８】
インクを吐出する吐出口を有する記録ヘッドと、前記記録ヘッドを搭載して往復移動するキャリッジと、前記記録ヘッドへ供給されるインクを貯留するサブタンクと、前記サブタンクへ供給されるインクを貯留するメインタンクと、前記メインタンクと前記サブタンクとを接続する中空管と、前記サブタンクと前記記録ヘッドとを接続し前記キャリッジの移動に追従して移動する供給チューブと、を備えるインクジェット記録装置における前記メインタンクから前記サブタンクへのインク充填方法であって、
前記サブタンクから前記メインタンクへ空気を移動させるために前記供給チューブ内のインクの動圧が前記中空管内の空気移動に対する耐圧よりも大きくなるように前記キャリッジを往方向に加速する第１加速工程と、
前記メインタンクから前記サブタンクへインクを移動させるために前記供給チューブ内のインクの動圧が前記中空管内のインク移動に対する耐圧よりも大きくなるように前記キャリッジを前記往方向に減速する第１減速工程と、
前記メインタンクから前記サブタンクへインクを移動させるために前記供給チューブ内のインクの動圧が前記中空管内のインク移動に対する耐圧よりも大きくなるように前記キャリッジを復方向に加速する第２加速工程と、
前記サブタンクから前記メインタンクへ空気を移動させるために前記供給チューブ内のインクの動圧が前記中空管内の空気移動に対する耐圧よりも大きくなるように前記キャリッジを前記復方向に減速する第２減速工程と、を有することを特徴とするインク充填方法。
【請求項９】
前記第１加速工程及び前記第１減速工程の間と、前記第２加速工程及び前記第２減速工程の間との少なくとも一方で、定速で前記キャリッジを移動させながら記録媒体に記録を行う記録工程を有することを特徴とする請求項８に記載のインク充填方法。
【請求項１０】
前記供給チューブに設けられたダイヤフラム弁を用いて、前記メインタンクから前記サブタンクにインクを移動させる充填工程を有することを特徴とする請求項８または９に記載のインク充填方法。
【請求項１１】
前記中空管は、重力方向に関して、前記メインタンクの下部と前記サブタンクの上部とを接続していることを特徴とする請求項８ないし１０のいずれか１項に記載のインク充填方法。
【請求項１２】
前記インクジェット記録装置は前記キャリッジを支持するレールをさらに有し、
前記供給チューブの一部は、前記レールとほぼ並行に設けられていることを特徴とする請求項８ないし１１のいずれか１項に記載のインク充填方法。
【請求項１３】
前記供給チューブ内のインクの動圧が前記吐出口におけるメニスカス耐圧よりも小さくなるように前記キャリッジの移動における加減速を制御することを特徴とする請求項８ないし１２のいずれか１項に記載のインク充填方法。
【請求項１４】
前記サブタンクは、前記供給チューブと前記中空管とを除いてほぼ密閉された構造となっていることを特徴とする請求項８ないし１３のいずれか１項に記載のインク充填方法。
【発明の詳細な説明】
【技術分野】
【０００１】
本発明は、インクジェット記録装置に備えられたメインタンクからサブタンクにインクを充填するインク充填方法およびその方法が適用されるインクジェット記録装置に関する。
【背景技術】
【０００２】
近年、Ａ１サイズやＡ０サイズといった大判の記録媒体への記録にインクジェット記録装置が用いられてきている。この種のインクジェット記録装置では、一般的に主走査方向に往復走査されるキャリッジに搭載されたインクジェット記録ヘッド（以下、記録ヘッドと称する。）と大容量のメインインクタンク（以下、メインタンクと称する。）とをチューブによって連結して記録ヘッドにインクを供給する構成が採用される。
【０００３】
大判のインクジェット記録装置の用途は黒単色の線画から写真調の画像の記録まで幅広い。中でも写真調の画像のような印字デューティーの高い画像の場合、その記録には多量のインクが消費される。大判のインクジェット記録装置では、大容量のメインタンクが用いられているが、記録画像の種類や印刷量によって、多量にインクが消費されると結果としてメインタンクの交換頻度の増加を招くことになる。
【０００４】
メインタンクと記録ヘッドをチューブで直結した構成の場合、メインタンクを交換するには、記録動作を中断する必要があり、交換作業に消費される時間をロスすることになり記録効率が低下する。また１枚の記録媒体への記録途中にメインタンクの交換作業を行って記録動作を中断すると、中断の前後で時間経過による色ムラが生じ、画像品質が低下してしまうことになる。
【０００５】
そこで、記録動作を中断することなくメインタンクを交換するために、メインタンクと記録ヘッドとの間にサブタンクを備えたインクジェット記録装置が特許文献１に提案されている。特許文献１には、メインタンクとサブタンクとを連結し、メインタンクからサブタンクにインクを移動させ、サブタンクにインクを充填する構成が開示されている。そして、サブタンクからチューブを介して接続された記録ヘッドにインクが供給され記録動作が行なわれる構成となっている。この構成では、メインタンク内のインクを使いきった場合であってもサブタンク内に貯留されているインクによって記録を継続することができる。そのため、サブタンク内のインクを消費して記録動作を行っている間にメインタンクを交換すればよい。これによって、記録動作を中断することなく、メインタンクを交換することができ、メインタンクの交換にかかる時間のロスによる記録効率の低下や時間経過による画像品質の低下を防ぐことができる。
【先行技術文献】
【特許文献】
【０００６】
【特許文献１】特開２０１０−２０８１５１号公報
【発明の概要】
【発明が解決しようとする課題】
【０００７】
上記目的を達成するため、本発明に係るインクジェット記録装置は、インクを吐出する吐出口を有する記録ヘッドと、前記記録ヘッドを搭載して往復移動するキャリッジと、前記記録ヘッドへ供給されるインクを貯留するサブタンクと、前記サブタンクへ供給されるインクを貯留するメインタンクと、前記メインタンクと前記サブタンクとを接続する中空管と、前記サブタンクと前記記録ヘッドとを接続し前記キャリッジの移動に追従して移動する供給チューブと、を備えるインクジェット記録装置であって、前記サブタンクから前記メインタンクへ空気を移動させるために前記供給チューブ内のインクの動圧が前記中空管内の空気移動に対する耐圧よりも大きくなるように前記キャリッジの移動における加減速を制御し、かつ、前記メインタンクから前記サブタンクへインクを移動させるために前記供給チューブ内のインクの動圧が前記中空管内のインク移動に対する耐圧よりも大きくなるように前記キャリッジの移動における加減速を制御する制御手段を備えることを特徴とする。
【０００８】
ところが、サブタンクと記録ヘッドの間に配置されたダイヤフラム弁を駆動させてサブタンクへのインク充填を行うときは、サブタンクと記録ヘッドとをつなぐインク経路が閉鎖状態と開放状態を繰り返すことになる。そのため、結果として記録ヘッドへのインク供給が行えず記録動作を継続することができない。つまり、サブタンクへのインク充填と記録動作とは両立することができず、サブタンクへのインク充填のための動作は、記録動作を中断し、記録動作とは独立した動作にする必要があった。
【０００９】
本発明の目的は、サブタンクへのインク充填動作と記録動作とを両立することが可能なインクジェット記録装置を提供することにある。
【課題を解決するための手段】
【００１０】
これに対して本発明は、吐出口を有する記録ヘッドと、前記記録ヘッドを搭載して往復走査するキャリッジと、インクを貯留するメインタンクと、当該メインタンクから管を介してインクを供給可能なサブタンクと、前記記録ヘッドと前記サブタンクの間を接続する供給チューブと、前記キャリッジを制御する制御手段と、を備えるインクジェット記録装置であって、前記制御手段は、前記供給チューブ内のインクの動圧が、前記管のインク移動に対する耐圧かつ空気移動に対する耐圧より大きくなるように、前記キャリッジの加速度を制御することを特徴としている。
【発明の効果】
【００１１】
キャリッジの加速度を本発明のように制御し、供給チューブに生じる動圧を用いることで、管を介して空気をサブタンクからメインタンクに移動させ、インクをメインタンクからサブタンクに移動させることができる。これによりメインタンクからサブタンクへのインク充填を行うことができる。これにより、記録動作を中断して別にサブタンクの充填動作を行う時間を設けることなく、インクタンクからサブタンクへのインク充填を行うことができる。
【図面の簡単な説明】
【００１２】
【図１】（ａ）本発明に係るインクジェット記録装置を概略的に示す斜視図である。（ｂ）本発明に係る記録ヘッドの一部を分解して示した斜視図である。
【図２】本発明のインクジェット記録装置本体に搭載された制御系の構成を概略的に示すブロック図である。
【図３】本発明に係るインク供給系を概略的に示す模式図である。
【図４】本発明に係る往復走査記録時におけるサブタンクへのインク充填の状態を（ａ）〜（ｆ）によって順に示す模式図である。
【図５】本発明に係る往復走査記録時における（ａ）キャリッジの移動速度及び（ｂ）加速度プロファイルの一例を示す模式図である。
【図６】本発明に係る片方向記録時におけるサブタンクへのインク充填の状態を（ａ）〜（ｅ）によって順に示す模式図である。
【図７】本発明に係る片方向記録時における（ａ）キャリッジの移動速度及び（ｂ）加速度プロファイルの一例を示す模式図である。
【図８】本発明の実施形態に係わる往復走査記録時における（ａ）キャリッジの移動速度及び（ｂ）加速度プロファイルの別の例を示す模式図である。
【図９】本発明に係る非記録時におけるキャリッジの移動を利用したサブタンクへのインク充填の状態を（ａ）〜（ｄ）によって順に示す模式図である。
【図１０】本発明に係る非記録時における（ａ）キャリッジの移動速度及び（ｂ）加速度プロファイルの例を示す模式図である。
【図１１】本発明に係る別のインク供給系の構成例を概略的に示す模式図である。
【図１２】ダイヤフラム弁によるインク充填動作を説明する断面図である。
【図１３】別のインク供給系におけるサブタンクへのインク充填シーケンスの例を示すフローチャートである。
【発明を実施するための形態】
【００１３】
インクジェット記録装置はインクを吐出して記録媒体に対して記録動作を行うために用いることができる。具体的な適用機器としては、プリンタ、複写機、ファクシミリ等の事務機器や、工業用生産機器などを挙げることができる。このようなインクジェット記録装置を用いることによって、紙、糸、繊維、布帛、皮革、金属、プラスチック、ガラス、木材、セラミックスなど種々の記録媒体に記録を行うことができる。
【００１４】
本明細書内で用いられる「記録」とは、文字や図形などの意味を持つ画像を記録媒体に対して付与することだけでなく、パターンなどの意味を持たない画像を付与することも意味することとする。
【００１５】
さらに「インク」とは広く解釈されるべきものであり、記録媒体上に付与されることによって、画像、模様、パターン等の形成、記録媒体の加工、或いはインクまたは記録媒体の処理に供される液体を言うものとする。
【００１６】
以下、図面を参照して本発明の形態を説明する。なお、以下の説明では，同一の機能を有する構成には図面中同一の番号を付与し、その説明を省略する場合がある。
【００１７】
（装置本体概略構成）
図１は、記録媒体１３に記録動作を行うインクジェット記録装置の記録装置本体の概略斜視図を示している。なお、本実施形態におけるインクジェット記録装置は、記録媒体の記録幅方向に記録ヘッドを往復走査させて記録動作を行う、いわゆるシリアル型のインクジェット記録装置である。このシリアル型記録装置は、搬送ローラ１９よって記録媒体１３をＹ方向（副走査方向）へと間欠的に搬送する。これと共に、キャリッジに搭載された記録ヘッド３を記録媒体１３の搬送方向であるＹ方向と直交する方向であるＸ方向（主走査方向）に往復走査させながら記録動作を行う。また、図１に示す記録装置本体は、例えば、Ａ１サイズやＡ０サイズの記録媒体への記録が行えるような大型インクジェット記録装置である。
【００１８】
記録ヘッド３は供給されるインクを複数の吐出口から吐出可能なインクジェット記録ヘッドであり、キャリッジ２に着脱可能に搭載される。キャリッジ２は記録ヘッド３を搭載して図中Ｘ方向に沿って往復走査する。具体的には、キャリッジ２は、Ｘ方向に沿って配置されたガイドレール５に沿って移動可能に支持されており、ガイドレール５と並行に移動する無端ベルト６に固定されている。無端ベルト６は、キャリッジモータ（ＣＲモータ）の駆動力によって往復運動し、それによってキャリッジ２をＸ方向に往復走査させる。
【００１９】
また、符号８は図３で詳述するインク供給システムであり、インクの色に対応して複数の独立したメインタンクを有して設けられている。インク供給システムと記録ヘッド３とは、それぞれインクの色に対応した柔軟な材料からなる複数のインク供給チューブ４によって接続されている。さらに、メインタンクをインク供給システム８に装着することで、メインタンク内に収納された各色のインクを、記録ヘッド３の各ノズル列に独立して供給することが可能となる。
【００２０】
また、記録装置本体には、記録ヘッド３のインク吐出状態を回復・維持する回復処理装置７も設けられている。
【００２１】
（記録ヘッド）
図１（ｂ）に、インクジェット記録装置のキャリッジに搭載される記録ヘッドの一部を分解して示した斜視図を示す。記録ヘッド３は、接続部３０によってインクジェット記録装置本体から供給チューブ４を介してインクが供給される。そして接続部３０から供給されたインクは、インクの色ごとに設けられた貯留部（不図示）に一時的に貯留され、記録動作時に吐出される。さらに、この貯留部にはゴム製の弾性変形する部材で形成された圧力調整部材４０が接続して設けられており、この圧力調整部材４０の容積が変化することにより、貯留部内の圧力を調整することができる。具体的には、圧力調整部材４０の容積は約１．４ｍｌであり±０．３ｍｌ程度の容積変化を許容することができる。
【００２２】
（制御システム）
図２は、本実施形態におけるインクジェット記録装置の記録装置本体に搭載される制御システム（制御手段）の構成例を示すブロック図である。図２において、１００は主制御部である。この主制御部１００は演算、制御、判別、設定などの処理動作を実行するＣＰＵ１０１を備えている。そして、ＣＰＵ１０１によって実行すべき制御プログラム等を格納するＲＯＭ１０２、インクの吐出／非吐出を表す２値の記録データを格納するバッファ、ＣＰＵ１０１による処理のワークエリア等として用いられるＲＡＭ１０３、入出力ポート１０４などを備える。
【００２３】
入出力ポート１０４には、搬送ローラを駆動させる搬送モータ（ＬＦモータ）１１３、キャリッジモータ（ＣＲモータ）１１４、記録ヘッド３、回復処理装置７などの各駆動回路１０５、１０６、１０７、１０８が接続されている。これらの各駆動回路１０５，１０６，１０７，１０８は、主制御部１００により制御される。入出力ポート１０４には、記録ヘッドの温度を検出するヘッド温度センサ１１２、キャリッジ２に固定されたエンコーダセンサ１１１、記録装置本体の使用環境である温度と湿度を検知する温湿度センサ１０９などの各種センサ類が接続されている。また、主制御部１００はインターフェース回路１１０を介してホストコンピュータ１１５に接続されている。
【００２４】
１１６は回復処理装置７によって記録ヘッド３から強制的にインクを排出させた場合に、そのインク量をカウントする回復処理カウンタである。１１７は記録開始前や記録終了時、記録中に行われる予備吐出をカウントする予備吐出カウンタである。１１８はフチ無し記録を行う場合に記録媒体領域外に記録されるインクをカウンするフチ無しインクカウンタ、１１９は記録中に吐出するインクをカウントする吐出ドットカウンタである。
【００２５】
以上の構成を有するインクジェット記録装置によって実行される記録動作を説明する。ホストコンピュータ１１５からインターフェースを介して記録データを受信すると、その記録データはＲＡＭ１０３のバッファに展開される。そして、記録動作が指示されると、搬送ローラ１９が作動し、記録媒体が記録ヘッド３との対向位置へと搬送される。キャリッジ２はガイドレール５に沿って図１中Ｘ方向へと移動する。キャリッジ２の移動に伴って、記録ヘッド３からはインク滴が吐出され、記録媒体に１バンド分の画像が記録される。この後、搬送ユニットにより、記録媒体はキャリッジ２と直交する図１中Ｙ方向に１バンド分だけ搬送される。以上の動作を繰り返すことにより、記録媒体には所定の画像が形成される。
【００２６】
なお、キャリッジ２の位置は、キャリッジ２の移動に伴ってエンコーダセンサ１１１から出力されるパルス信号を主制御部１００でカウントすることにより検出される。すなわち、エンコーダセンサ１１１は、Ｘ方向に沿って配置された不図示のエンコーダフィルムに一定の間隔で形成された検出部を検出することによってパルス信号を主制御部１００へ出力する。主制御部１００はこのパルス信号をカウントすることにより、キャリッジ２の位置を検出する。キャリッジ２のホームポジション及びその他の位置への移動は、エンコーダセンサ１１１からの信号に基づいて行われる。
【００２７】
（インク供給システム）
図３は本発明が適用されるインクジェット記録装置のインクの供給系にかかる構成、すなわちインク供給システム８、記録ヘッド３、インク供給システムと記録ヘッドを連結する供給チューブ４を示す模式図である。ここでは解り易さのために、１本の供給チューブ４の図を用いて説明を行う。
【００２８】
図３において、インク供給システム８は記録装置本体の所定の個所に配置され、メインタンク９、サブタンク１０、サブタンク１０とメインタンク９とを連結する中空管１１、バッファ室１２、メインタンク９とバッファ室１２を連結する連通管２１を備えている。柔軟な材料で構成された供給チューブ４はインク供給システム８のサブタンク１０と記録ヘッドとを接続している。この例では、図中右側にインク供給システムが配置されている。サブタンク１０と接続された供給チューブ４はキャリッジ２の移動走査方向に並行な部分を有して延在され記録ヘッド３の図中左側に対して接続されるように途中で折り返されて記録装置本体内を這いまわされている。つまり、供給チューブはガイドレール５と並行な部分を有するように配置されている。なお、図３で示した供給チューブ４の配置はあくまで一例であって、この限りではない。
【００２９】
次に、インク供給システムの構造について説明する。
メインタンク９は記録装置本体に対して着脱可能に搭載されるもので、本実施形態におけるインクジェット記録装置では、メインタンク９は、サブタンク１０と比べ大容量のインクを収容している。また、メインタンク９は中空管１１によってサブタンク１０と連通され、連通管２１によってバッファ室１２と連通されている。メインタンク９は、中空管１１および連通管２１とメインタンク９の装着状態の底部で接続する構成であり、接続部分を除いて密閉されている。
【００３０】
サブタンク１０は記録ヘッド３に対して重力方向下方の位置に配置されている。サブタンク１０は天井部がドーム状または傾斜面を備えた構成とされており、中空管１１はサブタンク１０の重力方向の上部に接続されている。なお、図３はサブタンクの最上部にあたる個所に中空管１１が接続された構成を示しており、サブタンク１０に対しては実質的に０ｍｍの侵入量で構成されている。
【００３１】
この中空管１１の端部が、サブタンク１０内のインクと接しない位置にあるときに、後に詳細に説明する供給チューブ内のインクの動圧を用いたインク充填が行われる。すなわちサブタンク１０内における中空管１１の位置が、動圧を用いたサブタンクへのインク充填が完了する際のインク位置となるため、中空管１１の侵入量を適宜調整することで、動圧を用いたインク充填量を調節することができる。なおこの中空管１１の位置は、メインタンク９の交換時にも記録動作を継続できる量がサブタンクに充填されるように、サブタンク１０のインク量が、大判の記録媒体への記録を少なくとも１枚継続できるような量と同じもしくはそれ以上とすることが好ましい。
【００３２】
また、サブタンク１０には、記録ヘッド３と連通する供給チューブ４がサブタンク１０の下部（底部近傍）の位置、すなわち必ずインクと接する位置で連通している。サブタンク１０は中空管１１、供給チューブ４との連結部を除いて実質的に密閉された構造として構成されている。なお、サブタンク１０は後述するサブタンクへのインク充填時に実質的に密閉された構成になっていればよく、サブタンクへのインク充填時以外では密閉構成に限られない。また、サブタンクへのインク充填時であっても、以下で説明するインク移動耐圧Ｐｉ、空気移動耐圧Ｐａよりも耐圧が大きい連通個所をサブタンクが有していることを妨げない。
【００３３】
中空管１１はサブタンク１０内の内圧状態によってインクや空気が移動可能となっているが、メインタンク９からサブタンク１０に対して重力によって自然にインクが移動することはない構成とされる。例えば、インク移動がスムーズに行えるような流路抵抗となるのに十分な内径であると同時に、中空管１１の開口部においてインクがメニスカスを張るために十分な内径（例えば内径：１〜２ｍｍ）として構成されている。
【００３４】
バッファ室１２は連通管２１によりメインタンク９と接続されており、この連通管２１はバッファ室１２の底部付近まで延在されている。また、バッファ室はメインタンク９と連通管２１で接続されている一方大気に対して開放（連通）するための大気連通管２２を備えている。大気連通管２２は、バッファ室１２内の上方に先端部を備え、バッファ室１２の外部に他端部を備えた構成とされている。これにより、メインタンクの内圧と大気圧のバランスを取っている。このバッファ室１２は、外部環境変化等によってメインタンク９から移動してきたインクを収容するための空間として機能するものである。なお、図３に示す状態はメインタンク９と接続された連通管２１にインクが満ちているとともに、バッファ室１２にインクが存在しており、連通管２１の他端部がインク内に存在した状態を示している。これはバッファ室１２にメインタンク９からインクが移動した状態を表している。なお、このような状態であってもバッファ室１２内が大気と連通した状態が維持されるように、バッファ室１２の形状や大気連通管２２の配置が適宜選択される。以上説明したようにメインタンク９、サブタンク１０、バッファ室１２、及び記録ヘッド３が連通してインク供給系が構成されている。
【００３５】
次に、記録動作を行うことによりサブタンクへのインク充填が発生する状況について説明する。
【００３６】
記録動作を実行すると、記録ヘッド３の吐出口からインクが吐出されてインクが消費される。これによって、供給チューブ４を介してサブタンク１０内が負圧となり、この負圧が中空管１１の流路抵抗並びにメニスカス耐圧を上回ると、インクがメインタンク９からサブタンク１０へ供給される。つまり記録動作で消費した量のインクが結果的にメインタンク９から減少する。
【００３７】
このインク供給によってメインタンク９内が負圧になると、バッファ室１２内にインクがない場合には、大気連通管２２によって大気に連通したバッファ室１２、連通管２１を介して大気がメインタンク９に導入され負圧が解消される。
【００３８】
なお、図３のようにバッファ室１２内にインクが存在し、連通管２１がインクと連通した状態では、連通管２１を介してバッファ室１２内のインクがメインタンク内に戻り、メインタンク内の負圧を解消する。
【００３９】
そして、記録動作が継続して行われると最終的にはメインタンク９に収容されたインクが無くなり、メインタンク９の交換が必要となる。メインタンク９の交換中であっても記録動作を継続することができるように、サブタンク１０内には所定量のインクが予め収容されるように構成されており、このインクを使用して一時的に記録動作をおこなうことができる。サブタンク１０内の所定量のインク量は、大判の記録媒体（例えばＡ１サイズ）への記録を少なくとも１枚継続できるような量（本例では凡そ３０ｍｌ）に設定されている。これにより、少なくとも記録中の１枚の記録動作を中断することなく、メインタンクの交換を可能にする。もちろん、交換動作にかかる時間と記録時間とを考慮して必要なインク量が貯留できる容量のサブタンク１０としてもよいことはいうまでもない。
【００４０】
このようにメインタンク９に収容されたインクが無くなりサブタンク１０に収容されたインクを消費して記録動作を行った後には、サブタンク１０内のインクは所定量を下回ることになる。したがって、メインタンク９交換後にメインタンク９からサブタンク１０にインクを充填するサブタンクへのインク充填を行う必要が発生する。
【００４１】
このようなサブタンクへの充填方法としては、従来に用いられていたようなメインタンクと記録ヘッドとの間に設けたダイヤフラム弁を開閉する方法が特開２０１０−２０８１５１号公報に開示されている。しかしながら、この方法だとサブタンクへの充填時には記録動作を行うことができない。
【００４２】
そのため本発明においては供給チューブ内の動圧を利用してサブタンク内にインクが充填されるようにキャリッジの加速度を制御する。このようなキャリッジの加速度は、記録動作時にも発生させることができる。そのため、別途サブタンクへのインク充填動作用の時間を設けなくても、記録動作時のキャリッジの加速度を制御することで記録動作時に徐々にサブタンクにインクを充填させていくことができる。
【００４３】
なお記録装置本体の初期設置状態時には、記録ヘッド３、供給チューブ４、サブタンク１０のいずれにもインクが収容されていない。そのため予め記録ヘッド３、供給チューブ４にインクを充填した後でないと、本願発明のような供給チューブ内のインクの動圧を用いたインク充填を行うことはできない。このような記録ヘッド３、供給チューブ４、サブタンク１０に対して初期インク充填する方法としては、記録ヘッド３の吐出口（図示せず）からポンプ（図示せず）に接続した回復処理装置７により吸引する方法を用いることができる。この方法を用いて記録ヘッド３と供給チューブ４とにインクを収容した後に、本発明のような供給チューブ内のインクの動圧を用いてサブタンクへのインク充填を行うことができる。
【００４４】
以下、キャリッジの加速度を制御することでサブタンクにインク充填する方法について詳細に説明する。
【００４５】
（実施例１）
図４は往方向の走査と復方向の走査を行ってキャリッジ２の移動に伴う供給チューブ４内のインクの動圧を利用したサブタンクへのインク充填を示す模式図である。図４は（ａ）、（ｂ）、（ｃ）、（ｄ）、（ｅ）、（ｆ）の順で経時しており、一往復のキャリッジ動作を示している。また、Ｓ１、Ｓ２はそれぞれキャリッジ２の移動方向を示しており、図４（ａ）、（ｂ）、（ｃ）はＳ１方向への移動を示しており、図４（ｄ）、（ｅ）、（ｆ）はＳ２方向への移動を示している。
【００４６】
図４中、Ｐ１１は加速度ａ１１、Ｐ１２は加速度ａ１２、Ｐ１３は加速度ａ１３、Ｐ１４は加速度ａ１４による供給チューブ４内のインクに働く動圧をそれぞれ示している。また、Ｐｉは中空管１１内におけるインク移動に対する耐圧、Ｐａは中空管１１内における空気移動に対する耐圧、Ｐｈは記録ヘッド３の吐出口（不図示）におけるメニスカス耐圧を示している。
【００４７】
まず図４（ａ）を用いて、サブタンク１０からメインタンク９へ空気が移動する点について説明する。
【００４８】
記録ヘッド３を保持したキャリッジ２は、インクジェット記録装置本体に搭載された制御系（図２参照）によって、キャリッジ２は加速度ａ１１でＳ１方向に加速するよう制御される。記録ヘッド３に接続した供給チューブ４には、キャリッジ２の移動に追従して移動する区間が存在する。このとき、供給チューブ４のうち、キャリッジ２の移動に追従して移動する区間内に存在するインクは加速度ａ１１による慣性力を受ける。供給チューブ４はキャリッジ２の移動方向に並行となるように配置されているので、加速度ａ１１による慣性力を受けたインクが供給チューブ４からサブタンク１０に移動する。このとき発生する圧力が、加速度ａ１１による供給チューブ４内のインクに働く動圧Ｐ１１である。
【００４９】
そして、動圧Ｐ１１を受けたインクが、供給チューブ４内からサブタンク１０に移動することによってサブタンク１０内を加圧する。
【００５０】
サブタンク１０の内部は上方に空気層が存在しており、空気層が中空管１１と接している。このとき、中空管１１のメインタンク９内に存在する接続端では空気移動に対する耐圧Ｐａとして流路抵抗及びメニスカス耐圧が発生している。つまり動圧Ｐ１１がこの耐圧Ｐａよりも大きい場合、サブタンク１０からメインタンク９へと空気が移動することとなる。空気が移動することによってメインタンク９内が加圧状態になると、メインタンク９内のインクが連通管２１を介してバッファ室１２へ移動することになる。バッファ室１２内にインクが移動した際、大気連通管２２を介してバッファ室１２内の空気が押し出される。
【００５１】
また、動圧Ｐ１１により記録ヘッド３の貯留部からインクが流れ出る。そしてこの時生じる圧力は圧力調整部材４０で調整されることになる。なお、圧力調整部材４０で調整可能な変動量にも限界があるため、記録ヘッド３の吐出口におけるメニスカス耐圧Ｐｈよりも小さい動圧Ｐ１１となるように制御することが好ましい。このように制御しておくことにより、記録ヘッド３における吐出口から記録ヘッド３内に空気が流入することを防止することができる。
【００５２】
つまり供給チューブ４内のインクの動圧Ｐ１１（以下で示す関係式ではＰ１と表記）が、中空管１１の空気移動に対する耐圧Ｐａより大きい（Ｐ１＞Ｐａ）加速度ａ１１を与えることで、サブタンク１０からメインタンク９へ空気を移動させることができる。また記録ヘッド３の吐出口におけるメニスカス耐圧Ｐｈより小さくなるような（Ｐｈ＞Ｐ１＞Ｐａ…式（１））加速度ａ１１とすることで吐出口からの空気流入を防止することができる。
【００５３】
図４（ｂ）は、図４（ａ）の状態からキャリッジ２の移動速度が一定の速度（例えば２５インチ／秒）になった状態で一定の速度でＳ１方向に移動する様子を示している。この一定速度での移動中はキャリッジ移動による圧力変化がなく動圧変化によるインクの移動はない。この状態のインクの移動は、記録を実行していることにより記録ヘッドから吐出されるインク量に応じた量のインクがメインタンク９からサブタンク１０に移動するだけである。なお、メインタンク内の負圧によっては、バッファ室１２と連通管２１の状況に応じてインクまたは空気を引き込む動作が行われ、インク供給が継続されて記録信号に応じたＳ１方向の記録動作が行われる。
【００５４】
次に図４（ｃ）を用いて、メインタンク９からサブタンク１０にインクを移動させる点について説明する。図４（ｂ）に示すように所定の区間、一定の速度でキャリッジ２をＳ１方向に移動させて記録を行う。その後、インクジェット記録装置本体に搭載された制御系（図２参照）によって、記録ヘッド３を保持したキャリッジ２は、マイナスの加速度ａ１２で減速するよう制御される。
【００５５】
減速区間で供給チューブ４内のインクはマイナスの加速度ａ１２による慣性力を受ける。供給チューブ４はキャリッジ２の移動方向に並行となるように配置されているので、加速度ａ１２による慣性力を受けたインクが供給チューブ４から記録ヘッド３の方向へ移動する。このとき発生する圧力が、加速度ａ１２による供給チューブ４内のインクにかかる動圧Ｐ１２である。
【００５６】
動圧Ｐ１２を受けたインクが、供給チューブ４から記録ヘッド３に移動することによってサブタンク１０内が減圧される。
【００５７】
中空管１１にはインク移動に対する耐圧Ｐｉとして流路抵抗及びメニスカス耐圧が発生している。そのため、動圧Ｐ１２がこの耐圧Ｐｉよりも大きくなるときに、メインタンク９からサブタンク１０へインクが移動することになる。このとき、メインタンク９内が負圧状態になるため図４（ｃ）に示されるように、連通管２１とバッファ室１２内にインクが存在した状態ではバッファ室１２内のインクが連通管２１を介してメインタンク９内に引き込まれる。一方、連通管２１やバッファ室１２内にインクが存在しない場合には大気連通管２２、バッファ室１２、連通管２１を介して空気をメインタンク９内に引き込むことになる。
【００５８】
また、動圧Ｐ１２により記録ヘッド３へ移動したインクは、記録ヘッド３内の貯留部に流れ込む。そしてこの時生じる圧力は圧力調整部材４０で調整されることになる。なお、圧力調整部材４０で調整可能な変動量にも限界があるため、記録ヘッド３の吐出口におけるメニスカス耐圧Ｐｈよりも小さくなるように動圧Ｐ１２を制御することが好ましい。このように、制御しておくことにより、記録ヘッド３の吐出口からインクが漏れ出ることを防止することができる。
【００５９】
つまり供給チューブ４内のインクの動圧Ｐ１２（以下で示す関係式ではＰ２と表記）が、中空管１１のインク移動に対する耐圧Ｐｉより大きい（Ｐ２＞Ｐｉ）加速度ａ１２を与えることで、メインタンク９からサブタンク１０へインクを移動させることができる。また記録ヘッド３の吐出口におけるメニスカス耐圧Ｐｈより小さくなるような（Ｐｈ＞Ｐ２＞Ｐｉ…式（２））加速度ａ１２とすることで吐出口からのインク漏れを防止することができる。
【００６０】
加速度ａ１２で減速したキャリッジ２は次第に速度を落とし、静止する。静止した後、キャリッジ２はＳ２方向に移動を始める。Ｓ２方向への加速の様子を示した図が、図４（ｄ）である。このときの加速度ａ１３の方向はａ１２と同じで、その時のインク動圧Ｐ１３（関係式ではＰ２と表記）がチューブ内のインクに作用する。このときの耐圧関係は図４（ｃ）と同じ関係式を満足する。そのため、図４（ｃ）と同様にメインタンク９からサブタンク１０へのインクの移動が行われる。
【００６１】
図４（ｅ）は、図４（ｄ）の状態からキャリッジ２の移動速度が一定の速度（例えば２５インチ／秒）の状態でＳ２方向に移動する様子を示しており、図４（ｂ）と同様一定速度での移動中にインクを記録媒体１３に吐出することで、Ｓ２方向の記録動作を行う。
【００６２】
その後、所定の区間、一定の速度で移動中に記録を行った後、加速度ａ１４で減速する状態を示した図が、図４（ｆ）である。このときの加速度ａ１４の方向は加速度ａ１１と同じで、その時のインク動圧Ｐ１４（関係式ではＰ１と表記）がチューブ内のインクに作用する。このときの耐圧関係は図４（ａ）と同じ関係式を満足する。すなわち、図４（ａ）と同様にサブタンク１０からメインタンク９へ空気の移動が発生する。
【００６３】
以上説明した往方向の走査と復方向の走査を繰り返すことにより、特に図４（ｃ）、（ｄ）で示された加減速領域で動圧を利用したサブタンクへのインク充填が行なえる。
【００６４】
以上の動作を満足する記録装置本体の構造の一例は以下の通りである。
【００６５】
サブタンク容量：約３０ｍｌ、連通管２１の内径：約１〜２ｍｍφ、長さ：約２５〜３０ｍｍ、連通管２１はサブタンク内への侵入量は実質的に０ｍｍ、メインタンク内への侵入量は約２．５ｍｍである。また、供給チューブ４は内径：約２〜２．５ｍｍφ、長さ：約６５０〜１０００ｍｍである。記録ヘッドの吐出口のメニスカス耐圧は、負圧５ｋＰａ〜１０ｋＰａ程度である。
【００６６】
ここで、往復走査（双方向記録とも表現することがある）中のサブタンクへのインク充填におけるキャリッジ２のキャリッジ速度及び加速度プロファイルの例を図５に示す。図４におけるＳ１方向（図４中矢印Ｘ方向と同一方向をプラスＸ方向と表現することもある）を正、Ｓ２方向（図４中矢印Ｘ方向と反対方向をマイナスＸ方向と表現することもある）を負としている。
【００６７】
記録装置のキャリッジ走査区間は、図４で説明した通り、加速／減速区間と定速度区間を有している。このうちサブタンクへのインク充填に寄与するのは加速／減速区間である。本例の記録装置のキャリッジ走査区間は凡そ３６インチである。キャリッジ走査区間の距離はこれに限られないことは言うまでもない。重要なのは加速／減速区間で所定の関係の動圧を発生させる加速度によってキャリッジを走査することである。
【００６８】
図５（ａ）は横軸が時間、縦軸がキャリッジ２の移動速度を示しており、図５（ｂ）は横軸が時間、縦軸がキャリッジ２の加速度を示している。図５（ａ）では、キャリッジ２は時間０において静止している。キャリッジ２が加速度ａ１１（例えば２００インチ／秒２）でＳ１方向に移動を開始し、所定時間移動後、所定の速度（例えば２５インチ／秒）に達し一定の速度で移動する。更に所定時間移動後、加速度ａ１２（例えば２３０インチ／秒２）で減速していき、やがてキャリッジ２は静止する。次に、キャリッジ２は加速度ａ１３（例えば２００インチ／秒２）でＳ２方向に移動を開始し、所定時間移動後、所定の速度（例えば２５インチ／秒）に達し一定の速度で移動する。更に所定時間移動後、加速度ａ１４（例えば２３０インチ／秒２）で減速していき、やがてキャリッジ２は静止する。
【００６９】
さらに具体的には、供給チューブ内のインクの動圧は、
Ｐｎ＝（ｍｎ・ａｎ）／Ｓ                      …式（３）
ｍｎ：加速度がかかるインクの質量
Ｓ：供給チューブの断面積
ａｎ：キャリッジの加速度
で表すことができる。また、この時最大の動圧が生じる時のインク質量は、
ｍｎ＝ｋＳＬｎ                      …式（４）
ｋ：インクの比重
Ｓ：供給チューブの断面積
Ｌ-ｎ：加速度による慣性を受ける供給チューブの最大長さ
と表すことができる。
【００７０】
式（３）に式（４）を代入することにより、
Ｐｎ＝ｋＬｎａｎ                    …式（５）
という関係となっていることがわかる。
【００７１】
すなわち式（１）Ｐｈ＞Ｐ１＞Ｐａと式（２）Ｐｈ＞Ｐ２＞Ｐｉとは、Ｐｈ／（ｋＬ１）＞ａ１＞Ｐａ／（ｋＬ１）と、Ｐｈ／（ｋＬ２）＞ａ２＞Ｐｉ／（ｋＬ２）と変換できることが分かる。
【００７２】
以上のように、記録動作時のキャリッジを上述のような関係を満たす加速度で加速するように制御することで、供給チューブに生じるインクの動圧を用いてメインタンクからサブタンクへのインク充填を行うことができる。これにより、記録動作を中断して別にサブタンクの充填動作を行う時間を設けることなく、信頼性の高いサブタンクへの充填を行うことができる。
【００７３】
なお、サブタンクにインクが十分充填されると、図４（ａ）及び図（ｆ）のような状態で、中空管１１を介してサブタンク１０メインタンク９に移動するのは空気ではなくインクとなるため、サブタンク１０への動圧を利用したインク充填動作は行われなくなる。
【００７４】
また、本実施例は加速度が発生する時間に制限を与えるものではなく、図はあくまで一例である。また、ここでは初めに空気移動を発生させ、次にインク移動を発生させる例を示したが、これはあくまで一例であり、初めにインク移動を発生させ、次に空気移動を発生させても良い。
【００７５】
（実施例２）
実施例１では、双方向記録時における動圧によるサブタンクへのインク充填を説明したが、実施例２では片方向記録時における動圧によるサブタンクへのインク充填を説明する。
【００７６】
図６は片方向記録時におけるキャリッジ２の移動に伴う供給チューブ４内のインクの動圧を利用したサブタンクへのインク充填を示す模式図である。図６は（ａ）、（ｂ）、（ｃ）、（ｄ）、（ｅ）の順で経時しており、一往復のキャリッジ動作を示している。また、Ｓ１、Ｓ２はそれぞれキャリッジ２の移動方向を示している。すなわち、図６（ａ）、（ｂ）、（ｃ）はＳ１方向への移動を示しており、図６（ｄ）、（ｅ）はＳ２方向への移動を示している。
【００７７】
Ｐ２１（関係式ではＰ１と表記）は加速度ａ２１による供給チューブ４内のインクに働く動圧、Ｐ２２（関係式ではＰ２と表記）は加速度ａ２２による供給チューブ４内のインクに働く動圧を示している。さらにＰ２３（関係式ではＰ２と表記）は加速度ａ２３による供給チューブ４内のインクに働く動圧、Ｐ２４（関係式ではＰ１と表記）は加速度ａ２４による供給チューブ４内のインクに働く動圧をそれぞれ示している。また、Ｐｉは中空管１１内におけるインク移動に対する耐圧、Ｐａは中空管１１内における空気移動に対する耐圧、Ｐｈは記録ヘッド３の吐出口（図示せず）におけるメニスカス耐圧を示している。
【００７８】
まず図６（ａ）を用いて、サブタンク１０からメインタンク９へ空気が移動する点について説明する。
【００７９】
記録ヘッド３を保持したキャリッジ２は、インクジェット記録装置本体に搭載された制御系（図２参照）によって、キャリッジ２は加速度ａ２１でＳ１方向に加速するよう制御される。記録ヘッド３に接続した供給チューブ４には、キャリッジ２の移動に追従して移動する区間が存在する。このとき、供給チューブ４のうち、キャリッジ２の移動に追従して移動する区間内に存在するインクは加速度ａ２１による慣性力を受ける。供給チューブ４はキャリッジ２の移動方向に並行となるように配置されているので、加速度ａ２１による慣性力を受けることによりインクが供給チューブ４からサブタンク１０に移動する。このとき発生する圧力が、加速度ａ２１による供給チューブ４内のインクに働く動圧Ｐ２１である。
【００８０】
そして動圧Ｐ２１を受けたインクが、供給チューブ４内からサブタンク１０に移動することによって、サブタンク１０内を加圧する。
サブタンク１０の内部は上方に空気層が存在しており、空気層が中空管１１と接している。このとき、中空管１１のメインタンク９内に存在する接続端では空気移動に対する耐圧Ｐａとして流路抵抗及びメニスカス耐圧が発生している。つまり動圧Ｐ２１がこの耐圧Ｐａよりも大きい場合、サブタンク１０からメインタンク９へと空気が移動することとなる。空気が移動することによってメインタンク９内が加圧状態になると、メインタンク９内のインクが連通管２１を介してバッファ室１２へ移動することになる。バッファ室１２内にインクが移動した際、大気連通管２２を介してバッファ室１２内の空気が押し出される。
【００８１】
また、動圧Ｐ２１により記録ヘッド３の貯留部からインクが流れ出る。そしてこの時生じる圧力は圧力調整部材４０で調整されることになる。なお、圧力調整部材で調整可能な変動量にも限界があるため、記録ヘッド３の吐出口におけるメニスカス耐圧Ｐｈよりも小さい動圧Ｐ２１となるように制御することが好ましい。このように制御しておくことにより、記録ヘッド３における吐出口から記録ヘッド３内に空気が流入することを防止することができる。
【００８２】
つまり供給チューブ４内のインクの動圧Ｐ２１（以下で示す関係式ではＰ１と表記）が、中空管１１の空気移動に対する耐圧Ｐａより大きい（Ｐ１＞Ｐａ）加速度ａ２１を与えることで、サブタンク１０からメインタンク９へ空気を移動させることができる。また記録ヘッド３の吐出口におけるメニスカス耐圧Ｐｈより小さくなるような（Ｐｈ＞Ｐ１＞Ｐａ…式（１））加速度ａ２１とすることで吐出口からの空気の流入を防止することができる。
【００８３】
図６（ｂ）は、図６（ａ）の状態からキャリッジ２の移動速度が一定の速度（例えば２５インチ／秒）になった状態で一定の速度で移動している様子を示している。この一定速度での移動中はキャリッジ移動による圧力変化がなく動圧変化によるインクの移動はない。この状態のインクの移動は、記録を実行していることにより記録ヘッドから吐出されるインク量に応じた量のインクがメインタンク９からサブタンク１０に移動するだけである。なお、メインタンク内の負圧によっては、バッファ室１２と連通管２１の状況に応じてインクまたは空気を引き込む動作が行われ、インク供給が継続されて記録信号に応じたＳ１方向の記録動作が行われる。
【００８４】
次に図６（ｃ）を用いて、メインタンク９からサブタンク１０にインクを移動させる点について説明する。図６（ｂ）に示すように所定の区間、一定の速度でキャリッジ２をＳ１方向に移動させて記録を行う。その後、インクジェット記録装置本体に搭載された制御系（図２参照）によって、記録ヘッド３を保持したキャリッジ２は、マイナスの加速度ａ２２で減速するよう制御される。
【００８５】
減速区間で供給チューブ４内のインクはマイナスの加速度ａ２２による慣性力を受ける。供給チューブ４はキャリッジ２の移動方向に並行となるように配置されているので、加速度ａ２２による慣性力を受けたインクが供給チューブ４から記録ヘッド３の方向へ移動する。このとき発生する圧力が、加速度ａ２２による供給チューブ４内のインクにかかる動圧Ｐ２２である。
【００８６】
動圧Ｐ２２を受けたインクが、供給チューブ４から記録ヘッド３に移動することによってサブタンク１０内が減圧される。
中空管１１にはインク移動に対する耐圧Ｐｉとして流路抵抗及びメニスカス耐圧が発生している。そのため、動圧Ｐ２２がこの耐圧Ｐｉよりも大きくなるときに、メインタンク９からサブタンク１０へインクが移動することになる。このとき、メインタンク９内が負圧状態になるため図６（ｃ）に示されるように、連通管２１とバッファ室１２内にインクが存在した状態ではバッファ室１２内のインクを連通管２１を介してメインタンク９内に引き込まれる。一方、連通管２１やバッファ室１２内にインクが存在しない場合には大気連通管２２、バッファ室１２、連通管２１を介して空気をメインタンク９内に引き込むことになる。
【００８７】
また、動圧Ｐ２２より記録ヘッド３へ移動したインクは、記録ヘッド３内の貯留部に流れ込む。そしてこの時生じる圧力は圧力調整部材４０で調整されることになる。なお、圧力調整部材４０で調整可能な変動量にも限界があるため、記録ヘッド３の吐出口におけるメニスカス耐圧Ｐｈよりも小さくなるように動圧Ｐ２２を制御することが好ましい。このように、制御しておくことにより、記録ヘッド３の吐出口からインクが漏れ出ることを防止することができる。
【００８８】
つまり供給チューブ４内のインクの動圧Ｐ２２（以下で示す関係式ではＰ２と表記）が、中空管１１のインク移動に対する耐圧Ｐｉより大きい（Ｐ２＞Ｐｉ）加速度ａ２２を与えることで、メインタンク９からサブタンク１０へインクを移動させることができる。また記録ヘッド３の吐出口におけるメニスカス耐圧Ｐｈより小さくなるような（Ｐｈ＞Ｐ２＞Ｐｉ…式（２））加速度ａ２２とすることで吐出口からのインク漏れを防止することができる。
【００８９】
加速度ａ２２で減速したキャリッジ２は次第に速度を落とし、静止する。静止した後、キャリッジ２はＳ２方向に移動を始める。Ｓ２方向への加速の様子を示した図が、図６（ｄ）である。このときの加速度ａ２３の方向はａ２２と同じで、その時のインク動圧Ｐ２３（関係式ではＰ２と表記）がチューブ内のインクに作用する。このときの耐圧関係は図６（ｃ）と同じ関係式を満足する。そのため、図６（ｃ）と同様にメインタンク９からサブタンク１０へのインクの移動が行われる。
【００９０】
その後、加速度ａ２４で減速する状態を示した図が、図６（ｅ）である。このときの加速度ａ２４の方向は加速度ａ２１と同じで、その時のインク動圧Ｐ２４（関係式ではＰ１と表記）がチューブ内のインクに作用する。このときの耐圧関係は図６（ａ）と同じ関係式を満足する。すなわち、図６（ａ）と同様にサブタンク１０からメインタンク９へ空気の移動が発生する。
【００９１】
以上説明した一往復の記録動作を繰り返すことにより、特に図６（ｃ）、（ｄ）で示された加減速領域で動圧を利用したサブタンクへのインク充填が行なえる。
【００９２】
ここで、片方向記録中のサブタンクへのインク充填におけるキャリッジ２のキャリッジ速度及び加速度プロファイルの例を図７に示す。図６におけるＳ１方向（プラスＸ方向）を正、Ｓ２方向（マイナスＸ方向）を負としている。図７（ａ）は横軸が時間、縦軸がキャリッジ２の移動速度を示しており、図７（ｂ）は横軸が時間、縦軸がキャリッジ２の加速度を示している。図７（ａ）では、キャリッジ２は時間０において静止している。キャリッジ２が加速度ａ２１（例えば２００インチ／秒２）でＳ１方向に移動を開始し、所定時間移動後、所定の速度（例えば２５インチ／秒）に達し一定の速度で移動する。更に所定時間移動後、加速度ａ２２（例えば２３０インチ／秒２）で減速していき、やがてキャリッジ２は静止する。次に、キャリッジ２は加速度ａ２３（例えば２００インチ／秒２）でＳ２方向に移動を開始し、所定時間移動後、加速度ａ２４（例えば２３０インチ／秒２）で減速していき、やがてキャリッジ２は静止する。
【００９３】
なお、本実施例は加速度が発生する時間に制限を与えるものではなく、図はあくまで一例である。また、ここではＳ１方向への移動中に記録動作を行いＳ２方向への移動中には記録動作を行わない例を示したが、これはあくまで一例であり、記録を伴う移動の方向はこの限りでない。更に、ここでは初めに空気移動を発生させ、次にインク移動を発生させる例を示したが、これはあくまで一例であり、初めにインク移動を発生させ、次に空気移動を発生させても良い。
【００９４】
（実施例３）
実施例１および実施例２は加速度が一定の場合を用いて説明したが、加速度は変動してもよい。サブタンクへのインク充填動作に関しては、図４と同様であるため説明は省略する。
【００９５】
加速度ａ３１による供給チューブ４内のインクに働く動圧をＰ３１（関係式ではＰ１と表記）、加速度ａ３２による供給チューブ４内のインクに働く動圧をＰ３２（関係式ではＰ２と表記）とする。さらに、加速度ａ３３による供給チューブ４内のインクに働く動圧をＰ３３（関係式ではＰ２と表記）、加速度ａ３４による供給チューブ４内のインクに働く動圧をＰ３４（関係式ではＰ１と表記）とする。
【００９６】
図８は、双方向記録中のサブタンクへのインク充填におけるキャリッジ２のキャリッジ速度及び加速度プロファイルの例を示している。図８におけるＳ１方向（プラスＸ方向）を正、Ｓ２方向（マイナスＸ方向）を負としている。図８（ａ）は横軸が時間、縦軸がキャリッジ２の移動速度を示しており、図８（ｂ）は横軸が時間、縦軸がキャリッジ２の加速度を示している。図８（ａ）でキャリッジ２は時間０において静止している。キャリッジ２が、変動する加速度ａ３１（例えば１００インチ／秒２から２００インチ／秒２に変動）でＳ１方向に移動を開始し、所定時間移動後、所定の速度（例えば２５インチ／秒）に達し一定の速度で移動する。更に所定時間移動後、変動する加速度ａ３２（例えば２３０インチ／秒２から１００インチ／秒２に変動）で減速していき、やがてキャリッジ２は静止する。次に、キャリッジ２は、変動する加速度ａ３３（例えば１００インチ／秒２から２００インチ／秒２に変動）でＳ２方向に移動を開始し、所定時間移動後、所定の速度（例えば２５インチ／秒）に達し一定の速度で移動する。更に所定時間移動後、変動する加速度ａ３４（例えば２３０インチ／秒２から１００インチ／秒２に変動）で減速していき、やがてキャリッジ２は静止する。
【００９７】
図８（ｂ）で示す鎖線は、加速度がプラスの領域においてはサブタンク１０からメインタンク９へ空気が移動する動圧を与える加速度の下限値を示している。さらに加速度がマイナスの領域においてはメインタンク９からサブタンク１０へインクが移動するための動圧を与える加速度の上限値を示している。図８（ｂ）のように、変動する加速度ａ３１、ａ３４の一部がＰ１＞Ｐａ、さらに好ましくはＰｈ＞Ｐ１＞Ｐａを満たすような動圧を与える加速度である。さらに変動する加速度ａ３２、ａ３３の一部がＰ２＞Ｐｉ、さらに好ましくはＰｈ＞Ｐ２＞Ｐｉを満たすような動圧を与える加速度である。このような加速度とすることでサブタンクへのインク充填を行うことができる。この加速度の変動の仕方は必ずしも不連続でなくとも良い。
【００９８】
なお、本実施例は加速度が発生する時間に制限を与えるものではなく、図はあくまで一例である。また、ここでは初めに空気移動を発生させ、次にインク移動を発生させる例を示したが、これはあくまで一例であり、初めにインク移動を発生させ、次に空気移動を発生させても良い。更に、ここでは記録が伴う例を示したが、必ずしも記録が伴わなくとも良い。
【００９９】
（実施例４）
実施例１〜３では、記録動作時のキャリッジの加速度を制御することでサブタンクへのインク充填を行うことを説明してきた。しかし、記録動作時の加速度に限られず、たとえば記録ヘッドのクリーニングのための走査やレジ調整用のシーケンスなどの動作を利用してサブタンクへのインク充填を行うこともできる。
【０１００】
また、メインタンクが交換される際であって、記録信号の入力がなされていない非記録動作時にサブタンクへのインク充填が必要なときやインクジェット記録装置の着荷時の初期インク充填時にサブタンクへのインク充填専用の往復走査を実行してもよい。非記録動作時専用のサブタンクへのインク充填では次のような動作を行わせることができる。
【０１０１】
図９は非記録時におけるキャリッジ２の移動に伴う供給チューブ４内のインクの動圧を利用したサブタンクへのインク充填を示す模式図である。図９は（ａ）、（ｂ）、（ｃ）、（ｄ）の順で経時しており、一往復のキャリッジ動作を示している。また、Ｓ１、Ｓ２はそれぞれキャリッジ２の移動方向を示している。すなわち、図９（ａ）、（ｂ）はＳ１方向への移動を示しており、図９（ｃ）、（ｄ）はＳ２方向への移動を示している。
【０１０２】
Ｐ４１（関係式ではＰ１と表記）は加速度ａ４１による供給チューブ４内のインクに働く動圧、Ｐ４２（関係式ではＰ２と表記）は加速度ａ４２による供給チューブ４内のインクに働く動圧を示している。さらにＰ４３（関係式ではＰ２と表記）は加速度ａ４３による供給チューブ４内のインクに働く動圧、Ｐ４４（関係式ではＰ１と表記）は加速度ａ４４による供給チューブ４内のインクに働く動圧をそれぞれ示している。また、Ｐｉは中空管１１内におけるインク移動に対する耐圧、Ｐａは中空管１１内における空気移動に対する耐圧、Ｐｈは記録ヘッド３の吐出口（図示せず）におけるメニスカス耐圧を示している。
【０１０３】
まず時刻０で静止しているキャリッジ２はＳ１方向に加速度ａ４１で移動を始める。このとき、サブタンク１０からメインタンク９へ空気の移動が発生する（図９（ａ））。所定のキャリッジ速度に達した後、加速度ａ４２で減速する。このとき、メインタンク９からサブタンク１０へインクの移動が発生する（図９（ｂ））。減速したキャリッジ２は次第に速度を落とし、静止する。静止した後、キャリッジ２はＳ２方向に加速度ａ４３で移動を始める。このとき、メインタンク９からサブタンク１０へインクの移動が発生する（図９（ｃ））。所定のキャリッジ速度に達した後、加速度ａ４４で減速する。このとき、サブタンク１０からメインタンク９へ空気の移動が発生する（図９（ｄ））。
【０１０４】
以上の一往復の動作を繰り返し、非記録動作時にサブタンクへのインク充填を行う。
【０１０５】
ここで、非記録中のサブタンクへのインク充填におけるキャリッジ２のキャリッジ速度及び加速度プロファイルの例を図１０に示す。図９におけるＳ１方向（プラスＸ方向）を正、Ｓ２方向（マイナスＸ方向）を負としている。図１０（ａ）は横軸が時間、縦軸がキャリッジ２の移動速度を示しており、図１０（ｂ）は横軸が時間、縦軸がキャリッジ２の加速度を示している。図１０（ａ）では、キャリッジ２は時間０において静止している。キャリッジ２が加速度ａ４１（例えば２００インチ／秒２）でＳ１方向に移動を開始し、所定距離（時間）移動後、加速度ａ４２（例えば２３０インチ／秒２）で減速していき、やがてキャリッジ２は静止する。次に、キャリッジ２は加速度ａ４３（例えば２００インチ／秒２）でＳ２方向に移動を開始し、所定距離（時間）移動後、加速度ａ４４（例えば２３０インチ／秒２）で減速していき、やがてキャリッジ２は静止する。
【０１０６】
加速度ａ４１の与える動圧Ｐ４１が前述のＰ１＞Ｐａ、好ましくはＰｈ＞Ｐ１＞Ｐａを満たすように、加速度ａ４２の与える動圧Ｐ４２が前述のＰ２＞Ｐｉ、好ましくはＰｈ＞Ｐ２＞Ｐｉを満たすように制御する。さらに加速度ａ４３の与える動圧Ｐ４３がＰ２＞Ｐｉ、さらに好ましくはＰｈ＞Ｐ２＞Ｐｉを満たすように、加速度ａ４４の与える動圧Ｐ４４が前述のＰ１＞Ｐａ、さらに好ましくはＰｈ＞Ｐ１＞Ｐａを満たすように制御する。このように制御することでサブタンクへのインク充填を行うことができる。
【０１０７】
この一連のキャリッジ速度及び加速度プロファイルのような、サブタンクへのインク充填に特化したキャリッジ動作をさせることで効率的（短時間）にサブタンクへのインク充填を行うことができる。
【０１０８】
この動作は、常に加速度が生じるようにキャリッジを動作させた例であるが、図５、図７や図８に示されるような加減速の間に定速度の区間があるようなものでもよいことは言うまでもない。定速度のときに記録のためのインク吐出を伴わないことでサブタンクへのインク充填動作のみを実行できる。
【０１０９】
（実施例５）
実施例１〜４においては、キャリッジの往復走査による動圧変化のみを利用してメインタンク９からサブタンク１０に対してインクを充填するシーケンスを説明してきた。しかし、動圧変化によるサブタンクへ充填動作に加え、ダイヤフラム弁によるインク充填動作が行えるように制御してもよい。このようなダイヤフラム弁を用いたインク充填動作を非記録時に用いることにより、サブタンクへのインク充填の時間を短縮することができる。
【０１１０】
図１１に本実施形態に係る記録装置本体の構成例を示す。また、このインクジェット記録装置によるサブタンクへのインク充填を示すフローチャートを図１３に示す。
【０１１１】
図１１に示される記録装置本体は、サブタンク１０と記録ヘッド３とを連結する供給チューブ４の途中に可撓性材料からなるダイヤフラム弁１４を配置した構成である点が相違している以外は、図３に示した構成と同一であり、以下では相違点のみ説明する。
【０１１２】
ダイヤフラム弁１４は、その容積を小さくしてインク流路を閉鎖する状態と、容積を拡大してインク流路を開放する状態をとりえる。図１２にダイヤフラム弁１４によるインク供給を示す断面図を示す。
【０１１３】
ダイヤフラム弁１４は、ばね３１とレバー３２とばねおさえ３４とで容積変化させることができる。図１２（ａ）は、ダイヤフラム弁１４の容積が最大の状態を示している。この時、レバー３２が図の上方に移動することによりダイヤフラム弁１４の容積が増加し、ダイヤフラム弁１４内部にＡ１方向（記録ヘッド３側）とＡ２方向（サブタンク１０側）とから供給チューブ４からインクが供給されている。図１２（ｂ）はダイヤフラム弁１４の容積が最小の状態を示している。この時、レバー３２が図の下方に移動することによりダイヤフラム弁１４の容積が減少し、内部から供給チューブ４のＢ１方向（記録ヘッド３方向）およびＢ２方向（サブタンク１０方向）とにインクが供給されている。サブタンク１０にインクが満たされており、上部に空隙が無い場合はメインタンク９にインクが戻るが、空隙がある場合にはサブタンク内にインクが戻る事により生じた加圧によってサブタンク１０からメインタンク９に空隙部分の空気が押し戻される。そして、再度図１２（ａ）のようにダイヤフラム弁１４の容積を増加させると、サブタンク側に連結されたチューブ４からはＡ２方向にインクが引き戻されるため、結果サブタンク１０内は負圧になりメインタンク９のインクがサブタンク内に供給される。なお各動作で生じた記録ヘッド側の圧力変動は、圧力調整部材４０等で相殺される。このような動作を繰り返すことによって、強制的なサブタンクへのインク充填が行える。
【０１１４】
記録装置へのメインタンクの初期装着時、あるいはメインタンクを新しいものに交換した直後に、本発明の供給チューブ内インクの動圧によるインク充填に加えて、ダイヤフラム弁による強制充填を行うことでインク充填動作の時間短縮を行うことができる。
【０１１５】
メインタンクを初期装着した際のインク充填は例えば、図１３に示されるフローチャートにしたがって行われる。
【０１１６】
インクジェット記録装置に対して、インクジェット記録装置の初期設置を行う（ステップ１）。記録ヘッド、メインタンクをセッティングする（ステップ２）。次に記録媒体をセッティングする（ステップ３）。記録ヘッドに対してキャッピングしてヘッドクリーニング動作を行い（ステップ４）、減圧回復動作によってメインタンク、サブタンク、供給チューブ、記録ヘッドをインクによって液的に連通する。このときサブタンク内にもインクが存在するが十分なインク量ではない。その後、キャリッジ動作を伴うレジ調整動作やクリーニング動作を行う（ステップ５）。この動作によってメインタンクからサブタンクに対してインクを充填する。その後、サブタンク内が十分なインク量になるようにダイヤフラム弁を用いてサブタンクにインクを充填する動作を行う（ステップ６）。ダイヤフラム弁を用いたインク充填動作は、ステップ４までの間にサブタンク内にある程度の量のインクが充填されているため、短時間で所定のインク量を充填することができる。その後、サブタンク内に所定量充填されるまで充填動作を繰り返し、所定量のインクが充填されたら初期設置動作を終了する。
【０１１７】
なおＡ１サイズやＡ０サイズの記録媒体に対して記録を行う大型インクジェット記録装置を対象として説明を行ったが、これに限られることなくＡ３、Ａ４版等の各種の記録媒体に対して記録を行うビジネスプリンタ等にも適用できることは言うまでもない。
【符号の説明】
【０１１８】
２  キャリッジ
３  記録ヘッド
４  供給チューブ
８  供給システム
９  メインタンク
１０  サブタンク
１１  中空管
１２  バッファ室
１３  記録媒体
【図１】
0005968047.tif 000002
【図２】
0005968047.tif 000003
【図３】
0005968047.tif 000004
【図４】
0005968047.tif 000005
【図５】
0005968047.tif 000006
【図６】
0005968047.tif 000007
【図７】
0005968047.tif 000008
【図８】
0005968047.tif 000009
【図９】
0005968047.tif 000010
【図１０】
0005968047.tif 000011
【図１１】
0005968047.tif 000012
【図１２】
0005968047.tif 000013
【図１３】
0005968047.tif 000014